(57)【要約】【課題】  外扉の上端部と下端部とが自動販売機本体に回動可能に支持される自動販売機において、外扉と自動販売機本体との間に差し込まれた治具により外扉が自動販売機の前方側にこじ開けられることを防止する。【解決手段】  自動販売機本体２の左右側部のどちらか片側に、外扉３がその上下の２箇所の位置で回動可能に支持されて、自動販売機本体２の前面開口部を開閉可能とされた自動販売機２０において、外扉３の支持側における前記２箇所の支持位置の間に、一端部が自動販売機本体２の内側に固定され、他端部が外扉３の内側まで延設されたアーム部材２３と、外扉３の内側に設けられ、外扉３が閉じられた状態でその一部がアーム部材２３の他端部よりも自動販売機本体２の背面側に位置する係合部材２４とを設け、外扉３がその支持側において自動販売機本体２の前面方向への外力を受けた際に、係合部材２４がアーム部材２３の他端部に係合する。【選択図】図１
2006178693.tif 000002
【特許請求の範囲】
【請求項１】
自動販売機本体における左右側部のどちらか片側に、外扉がその上下の２箇所の位置で回動可能に支持されて、前記自動販売機本体の前面開口部を開閉可能とされた自動販売機において、
前記外扉が支持されている側部における前記２箇所の支持位置の間に、一端部が前記自動販売機本体の内側に固定され、他端部が前記外扉の内側まで延設されたアーム部材と、前記外扉の内側に設けられ、前記外扉が閉じられた状態でその一部が前記アーム部材の他端部よりも前記自動販売機本体の背面側に位置する係合部材とを設け、
前記外扉が、前記外扉の支持側において前記自動販売機本体の前面側に向けて作用する外力を受けた際に、前記係合部材が前記アーム部材の他端部に係合するように配設されていることを特徴とする自動販売機の防盗構造。
【請求項２】
アーム部材は、外扉の内側まで延設された他端部に、くびれ状に形成された首部と前記首部を介して形成された頭部とを有し、前記頭部は、前記外扉の前面と側面との角部と、係合部材とにより囲まれた空間に突入されていることを特徴とする請求項１記載の自動販売機の防盗構造。
【請求項３】
係合部材は、外扉が回動するときにアーム部材の首部をはまり込ませて通過させる長孔部を有することを特徴とする請求項２記載の自動販売機の防盗構造。
【発明の詳細な説明】
【技術分野】
【０００１】
本発明は、自動販売機の防盗構造に関する。
【背景技術】
【０００２】
図９に示すように、一般に、自動販売機１の自動販売機本体２には、この自動販売機本体２の前面開口部を開閉する外扉３が支持されている。この外扉３は、自動販売機本体２における左右側部のどちらか一方に支持されており、外扉３の上端部が自動販売機本体２の天面２ａに、下端部が自動販売機本体２の底面２ｂに、それぞれ上部ヒンジ部４ａ、下部ヒンジ部４ｂを介して回動自在に支持されている。
【０００３】
このような自動販売機１は、外扉３が上部ヒンジ部４ａおよび下部ヒンジ部４ｂの２点において自動販売機本体２の片側に支持されており、この２点間の距離が自動販売機１の高さと同寸程度に離れているので、例えば外扉３を支持している上部ヒンジ部４ａと下部ヒンジ部４ｂとの中間付近であって自動販売機本体２と外扉３との隙間５に、図１０に示すように、窃盗目的などでバール等の治具６が差し込まれ、外扉３が自動販売機１の前面側に向けてこじ開けられようとした場合には、外扉３は自動販売機１の前面側に向けて変形するおそれがあり、大きく変形した場合には、自動販売機１の内部を保護することができず、良好な防盗効果を得ることができないという問題点がある。
【０００４】
これに対応すべく、図１１（ａ）、（ｂ）に示すように、外扉３を支持している上部ヒンジ部４ａと下部ヒンジ部４ｂとの中間部に、自動販売機本体２に対して外扉３を回動可能に支持する中間ヒンジ部７を設けて防盗機能を向上させた自動販売機１がある。
【０００５】
この中間ヒンジ部７は、図１２に示すように、自動販売機本体２における側面部２ｃの内面に取り付けられている本体側補強板９と、一端側が本体側補強板９に固定されて、他端側が外扉３の内側までコ字状に延設されている板状のアーム部材１０と、外扉３の内側に取り付けられている外扉補強板１１と、この外扉補強板１１の内側に取り付けられているとともにアーム部材１０の他端部に連結されるカール部材８と、アーム部材１０とカール部材８とを連結するヒンジピン１３と、ヒンジピン１３の抜け止め（図示は省略）とを有する。
【０００６】
本体側補強板９は、中央部に凹部９ａを有するΩ字状であり、この凹部９ａの底部９ｂと自動販売機本体２の側面部２ｃとの間に隙間ができるように、この側面部２ｃの内面に取り付けられている。
【０００７】
アーム部材１０は、本体側補強板９の凹部９ａの底部９ｂに沿って形成されてこの底部９ｂにボルト１２により固定されている固定部１０ａと、この固定部１０ａから自動販売機本体２の斜め前方側に向けてクランク状に延設されているアーム部１０ｂと、このアーム部１０ｂから外扉３の回動中心Ｃに向けて延設されている係合部１０ｃとを有する。この係合部１０ｃの先端には、Ｃ字状に成形されたカール部１０ｄが形成されている。
【０００８】
また、外扉補強板１１は、外扉３の側面部３ａに沿う形状に形成されてこの側面部３ａの内面に取り付けられている。カール部材８は、一端側が外扉補強板１１の内面に取り付けられており、他端側にはＣ字状のカール部８ａが形成されている。そして、このカール部材８におけるカール部８ａと、アーム部材１０のカール部１０ｄとにヒンジピン１３が挿通されて、アーム部材１０とカール部材８とが接続されている。なお、外扉３の側面部３ａにおける自動販売機本体２の背面側には切欠部３ｂが形成されており、また、外扉補強板１１における自動販売機本体２の背面側には長孔１１ｂが形成されており、アーム部材１０がこの切欠部３ｂおよび長孔１１ｂに通されている。これにより、アーム部材１０を本体側補強板９から外扉３の内側まで設けることができるとともに、外扉３が回動された際にアーム部材１０におけるアーム部１０ｂが外扉３や外扉補強板１１に接触しないようにしている。
【０００９】
このような構成であると、自動販売機本体２に対して外扉３を、上端部、中間部、下端部の３点で支持することとなるので、各支持位置の上下方向の間隔を図９に示した自動販売機１よりも狭めることができ、かつ、中間ヒンジ部７が設けられて、自動販売機本体２の側面部２ｃに固定されているアーム部材１０が、ヒンジピン１３を介して外扉３側に固定されたカール部材８に接続されていることで、外扉３の上端部と下端部との中間付近における自動販売機本体２と外扉３との間に治具６が差し込まれて、外扉３がこじ開けられようとした場合であっても、外扉３が大きく変形することが抑制され、自動販売機１の内部の防盗効果を高めることができる。
【００１０】
また、外扉３を支持している上部ヒンジ部４ａと下部ヒンジ部４ｂとの中間部において、上記のような中間ヒンジ部７を設ける代わりに、図１３に示すように、外扉補強板１１における自動販売機本体２の背面側の外面に、自動販売機１の前面側に向けて開口するコ字状の第１の係合部材１４を設け、自動販売機本体２における側面部２ｃの内面に、自動販売機１の背面側に向けて開口するコ字状の第２の係合部材１５を設けることで、防盗機能を向上させた自動販売機１もある。
【００１１】
このような構成によると、自動販売機本体２と外扉３との隙間５に治具６が差し込まれて外扉３が自動販売機１の前面側に向けてこじ開けられようとしても、図中の仮想線にて示すように、外扉３が自動販売機１の前面側に向けて変形する動きにともなって、外扉３に取り付けられている第１の係合部１４が、自動販売機本体２に取り付けられている第２の係合部１５に係り合うので、外扉３がこれ以上に変形することを防止して防盗機能を発揮することができる（例えば、特許文献１参照）。
【００１２】
さらに、別構造として、外扉３を支持している上部ヒンジ部４ａと下部ヒンジ部４ｂとの中間部において、図１５に示すように、本体側補強板９の凹部９ａの底部９ｂに長孔９ｃを形成し、外扉３における自動販売機本体２の背面側の外面に、前記長孔９ｃに入り込むとともにこの長孔９ｃの周縁部に係り合い可能な鉤状部材１６を設けることで、防盗機能を向上させた自動販売機１もある。
【００１３】
このような構成によると、自動販売機本体２と外扉３との隙間５に治具６が差し込まれて、外扉３が自動販売機１の前面側に向けてこじ開けられようとしても、外扉３が自動販売機１の前面側に向けて変形する動きにともなって、外扉３に取り付けられている鉤状部材１６が、本体側補強板９に形成されている長孔９ｃの周縁部に係り合うので、外扉３がこれ以上に変形することを防止して防盗機能を発揮することができる。
【特許文献１】特開２００４−９４６４５号公報
【発明の開示】
【発明が解決しようとする課題】
【００１４】
しかしながら、図１２において説明した自動販売機１の場合、外扉補強板１１の内面に取り付けられているカール部材８の端部をカール成形し、本体側補強板９から外扉３の内側にかけて設けられているアーム部材１０の端部もカール成形する必要があり、さらに、このカール部８ａとカール部１０ｄとを接続するためのヒンジピン１３なども必要となり、カール成形という加工とヒンジピン１３という部品が必要となるので、自動販売機１の防盗構造としては高価なものになってしまう。
【００１５】
また、図１３において説明した自動販売機１の場合、図１２に示した自動販売機１に比べてヒンジピン１３などを必要としない分、部品点数が少なくなるという利点があるが、第１の係合部材１４と第２の係合部材１５とは、外扉３が自動販売機本体２に対して回動された際に係合して外扉３の回動動作を妨げないようにするため、互いに少し離して設けられている。このため、自動販売機本体２と外扉３との隙間５に、例えば、図１４に示すように、自動販売機本体２に対して斜め方向に治具６が差し込まれ、外扉３が自動販売機本体２に対して斜め前方側にこじ開けられようとした場合には、外扉３側に設けられた第１の係合部１４と、自動販売機本体２側に設けられた第２の係合部１５とが係合しないこととなり、この場合は防盗機能が発揮されない。
【００１６】
さらに、図１５において説明した自動販売機１の場合では、図１３に示した自動販売機１と同様、図１２に示した自動販売機１に比べてヒンジピン１３などを必要としない分、部品点数が少なくなるという利点があるが、自動販売機本体２の側面部２ｃの前縁部は本体側補強板９により補強されているものの、この前縁部の高さ方向の中間部分は、自動販売機本体２の背面や天面、底面との接合部からの距離が離れているので、横方向（左右方向）に対して比較的に変形しやすく、自動販売機本体２と外扉３との隙間５に治具６が差し込まれたときに、治具６の操作によっては横方向に変形することがある。このとき、例えば自動販売機本体２の側面部２ｃが、図１６に示すように、治具６の操作によって自動販売機本体２の外側に変形すると、これに伴い本体側補強板９もその長孔９ｃが広がるように変形し、これにより、鉤状部材１６と長孔９ｃの周縁部とが係合し難くなり、この場合は十分な防盗機能が発揮されない。
【００１７】
そこで本発明はこのような問題を解決して、外扉の上端部と下端部とが自動販売機本体に回動可能に支持される自動販売機において、外扉と自動販売機本体との間に差し込まれた治具により外扉が自動販売機の前方側にこじ開けられることを、製造コストの増加を最小限に抑えながら、確実に防止することを目的とする。
【課題を解決するための手段】
【００１８】
上記課題を解決するために請求項１記載の発明は、自動販売機本体における左右側部のどちらか片側に、外扉がその上下の２箇所の位置で回動可能に支持されて、前記自動販売機本体の前面開口部を開閉可能とされた自動販売機において、前記外扉が支持されている側部における前記２箇所の支持位置の間に、一端部が前記自動販売機本体の内側に固定され、他端部が前記外扉の内側まで延設されたアーム部材と、前記外扉の内側に設けられ、前記外扉が閉じられた状態でその一部が前記アーム部材の他端部よりも前記自動販売機本体の背面側に位置する係合部材とを設け、前記外扉が、前記外扉の支持側において前記自動販売機本体の前面側に向けて作用する外力を受けた際に、前記係合部材が前記アーム部材の他端部に係合するように配設されているものである。
【００１９】
このような構成によると、係合部材が、外扉の内側に設けられ、前記外扉が閉じられた状態でその一部が前記アーム部材の他端部よりも前記自動販売機本体の背面側に位置するので、バールなどの治具が外扉と自動販売機本体との間に差し込まれるなどして、前記外扉が、前記外扉の支持側から前記自動販売機本体の前面側に向けて作用する外力を受けた際に、前記外扉の変形に伴って前記係合部材が移動し、前記アーム部材の他端部に係合することで、前記外扉がこれ以上に変形することを阻止でき、前記外扉が前記外力によってこじ開けられることを防止できる。また、上記のように、外扉が自動販売機本体に支持されている側から前記自動販売機本体の前面側に向けて作用する外力を受けた際に、係合部材がアーム部材の他端部に係合する構成によると、例えばヒンジピンなどの他の部品を用いた防盗機構の場合に比べて、部品点数を少なくして安価な自動販売機を提供することができる。また、前記係合部材が前記アーム部材の他端部に係合する位置が、前記外扉の内側となる位置であり、前記自動販売機本体の内側といった、側面前縁部などの自動販売機本体の変形の影響を受け易い位置ではないので、前記自動販売機本体の側面前縁部などが変形しても、前記係合部材と前記アーム部材の他端部との係合状態が解消され難い。
【００２０】
請求項２記載の発明は請求項１記載の自動販売機の防盗構造において、アーム部材は、外扉の内側まで延設された他端部に、くびれ状に形成された首部と前記首部を介して形成された頭部とを有し、前記頭部は、前記外扉の前面と側面との角部と、係合部材とにより囲まれた空間に突入されているものである。
【００２１】
このような構成によると、外扉が自動販売機本体に対して前面側や左右方向に作用する外力を受けても、自動販売機本体に固定されているアーム部材の頭部が、外扉の前面と側面との角部と、係合部材とにより囲まれた空間に突入されているので、外扉の動きに伴って係合部材が、外扉の前側や左右方向に動いても、アーム部材の頭部が、外扉の前面、側面、係合部材に当接し、安定した防盗機能を発揮することができる。
【００２２】
請求項３記載の発明は請求項２記載の自動販売機の防盗構造において、係合部材は、外扉が回動するときにアーム部材の首部をはまり込ませて通過させる長孔部を有するものである。
【００２３】
このような構成によると、外扉が回動するときにアーム部材における首部が、係合部材における長孔部にはめ込まれて通過されるので、前記係合部材と前記首部とが接触することがなく、前記外扉の回動動作を円滑に行うことができる。
【発明の効果】
【００２４】
以上のように本発明によれば、係合部材が、外扉が閉じられた状態でその一部がアーム部材の他端部よりも自動販売機本体の背面側に位置するので、バールなどの治具が外扉と自動販売機本体との間に差し込まれるなどして、外扉がその支持側から自動販売機本体の前面側に向けて作用する外力を受けた際に、外扉の変形に伴って係合部材が移動し、アーム部材の他端部に係合することで、外扉がこれ以上に変形することを阻止し、この外扉が前記外力によってこじ開けられることを防止できる。また、係合部材とアーム部材の他端部とを係合させ、例えばヒンジピンなどの他の部品を用いない構造としたことで、ヒンジピンなどを用いる防盗機構に比べて部品点数を少なくして安価な自動販売機を提供することができる。また、前記係合部材が前記アーム部材の他端部に係合する位置が、前記外扉の内側となる位置であるので、バールなどの治具により自動販売機本体の側面における前縁部が変形することがあっても、前記係合部材と前記アーム部材の他端部との係合状態が解消されることはなく、これにより、外扉が上記の外力によってこじ開けられることを確実に防止できる。
【発明を実施するための最良の形態】
【００２５】
本発明の実施の形態の自動販売機の防盗構造を、図１〜図８を参照しながら説明する。なお、図９〜図１６において説明したものと同様のものには同じ符号を付すことで、その詳細な説明を省略する。
【００２６】
図２に示すように、本実施の形態における自動販売機２０の自動販売機本体２には、この自動販売機本体２の前面開口部を開閉する外扉３が支持されている。この外扉３は、自動販売機本体２における左側部（以下、支持側と記す。なお、外扉３が自動販売機本体２における右側部に支持されている場合も同様である。）に支持されており、外扉３の上端部が自動販売機本体２の天面２ａに上部ヒンジ部４ａを介して支持され、下端部が自動販売機本体２の底面２ｂに下部ヒンジ部４ｂを介して支持されている。
【００２７】
この自動販売機２０における支持側において、上部ヒンジ部４ａと下部ヒンジ部４ｂとの中間付近には、図１および図２に示すように、自動販売機本体２における側面部２ｃの内面から外扉３の内面にかけて、外扉３が支持側からこじ開けられることを防止するための扉係止機構２１が設けられている。
【００２８】
この扉係止機構２１は、図１に示すように、自動販売機本体２における側面部２ｃの内面に取り付けられている板状の固定部材２２と、一端側が固定部材２２に固定されて、他端側が外扉３の内側まで延設されている板状のアーム部材２３と、外扉３の内側に取り付けられているとともにアーム部材２３の他端部に係合可能な板状の係合部材２４とを有する。
【００２９】
固定部材２２は、中央部に凹部２２ａを有するΩ字状であり、この凹部２２ａの底部２２ｂと自動販売機本体２の側面部２ｃとの間に隙間ができるように、この側面部２ｃの内面に取り付けられている。
【００３０】
アーム部材２３は、図１および図３に示すように、固定部材２２における凹部２２ａの底部２２ｂに沿って形成されてこの底部２２ｂにボルト１２により固定されている固定部２３ａと、この固定部２３ａから自動販売機本体２の斜め前方側に向けて延設されているアーム部２３ｂと、このアーム部２３ｂから外扉３の回動中心Ｃに向けて延設されている係合部２３ｅとを有する。この係合部２３ｅは、くびれ状にすなわち上下側から矩形状に切り欠きが施されて形成された首部２３ｃと、この首部２３ｃがアーム部材２３の他端部を残して形成されることでこの首部２３ｃよりもさらに先端側に形成されている頭部２３ｄとを有する。
【００３１】
係合部材２４は、図１および図４に示すように、外扉３における前面部３ｃと側面部３ａとを利用してアーム部材２３の頭部２３ｄを囲う平面視矩形状の係合室２５を構成するＬ字状の係合部２４ａと、係合部２４ａから側面部３ａに沿って延設されてこの側面部３ａに固定された固定部２４ｂと、この固定部２４ｂから自動販売機本体２の内部背面側に向けて外扉３の側面部３ａに沿って形成されている奥側部２４ｃとを有する。
【００３２】
係合部２４ａにおける自動販売機本体２の前面側の端部には、組み立て時においてアーム部材２３の頭部２３ｄを係合室２５内にはめ入れる際にこの頭部２３ｄを通過させるための第１の切欠部２４ｄが形成され、さらに第１の切欠部２４ｄから係合部２４ａの形状に沿ったＬ字状に形成され、上下方向の幅がアーム部材２３の頭部２３ｄよりも小さくかつ首部２３ｃよりも大きい長孔部としての第２の切欠部２４ｅが形成されている。また、奥側部２４ｃには、この奥側部２４ｃの形状に沿ったＬ字状に形成されているとともに、上下方向の幅がアーム部材２３のアーム部２３ｂの幅と同様に形成されている第３の切欠部２４ｆが形成されている。なお、外扉３の側面部３ａには、上記奥側部２４ｃにおける第３の切欠部２４ｆに対応する位置に切欠部３ｂが形成されている。また、切欠部３ｂは自動販売機１の側面側に及ぶ程度に形成されており、この切欠部３ｂや自動販売機本体２と外扉３との隙間５から治具６などが差し込まれることを防止するために、自動販売機本体２の左側前縁部には、自動販売機本体２の高さ方向全体にわたって遮蔽板２６が延設されている。この遮蔽板２６により前記隙間５および切欠部３ｂが覆われている。
【００３３】
アーム部材２３は、図１および図５に示すように、そのアーム部２３ｂを、外扉３における切欠部３ｂと係合部材２４における第３の切欠部２４ｆに挿通し、かつ、アーム部材２３における頭部２３ｄを係合室２５内にはめ入れ、首部２３ｃを第２の切欠部２４ｅにはまり込ませたうえで、固定部２３ａが固定部材２２の底部２２ｂに固定されている。このような組み立て順序によって扉係止機構２１を構成することで、アーム部材２３における固定部２３ａの固定状態を解消しない限り、アーム部材２３の頭部２３ｄが係合部材２４の第１の切欠部２４ｄを通過できないようにして、この頭部２３ｄが常に係合室２５内に位置するようにしている。
【００３４】
また、上記のように、アーム部材２３におけるアーム部２３ｂが、外扉３における切欠部３ｂと係合部材２４における第３の切欠部２４ｆとに挿通され、かつ、アーム部材２３における頭部２３ｄが係合室２５内にはめ入れられて首部２３ｃが第２の切欠部２４ｅにはめ込まれていることにより、例えば、図６（ａ）〜図６（ｄ）に示すように、自動販売機本体２に対して外扉３を、３０°、６０°、９０°、１３０°のように回動させても、アーム部材２３の頭部２３ｄや首部２３ｃが係合部２４ａに当接することを防止することができ、かつ、アーム部材２３のアーム部２３ｂが係合部材２４の奥側部２４ｃや外扉３の側面部３ａに当接することを防止することができる。したがって、外扉３が０°〜１３０°までの角度で回動する際には、アーム部材２３は外扉３と係合部材２４とに当接することがなく、外扉３の回動動作を円滑に行うことができる。外扉３の回動角度は、自動販売機本体２の内部に商品を詰めたり、自動販売機の通常のメンテナンスをしたりする場合でも、１３０°で十分であり、１３０°以上に回動しないようにストッパ（図示は省略）が取り付けられている。また、アーム部材２３におけるアーム部２３ｂが、固定部２３ａから自動販売機本体２の斜め前方側に向けて延設されていることで、外扉３の回動時に、係合部材２４における切欠部が形成されていない固定部２４ｂなどがアーム部材２３に当接しないようにしている。
【００３５】
このような構成において、外扉３が閉じられた状態で、支持側における上部ヒンジ部４ａと下部ヒンジ部４ｂとの中間付近であって自動販売機本体２と外扉３との隙間５に治具６が差し込まれて、外扉３が支持側から前面側に向けてこじ開けられようとした場合でも、図１に示すように、係合部材２４における係合部２４ａがアーム部材２３の頭部２３ｄよりも自動販売機本体２の背面側に位置し、かつ、この頭部２３ｄは、外扉３における前面部３ｃ、側面部３ａおよび係合部２４ａによって囲まれた状態であるので、図７に示すように、外扉３が前面側に変形しようとする動きに伴って係合部２４ａが移動してアーム部材２３の頭部２３ｄに係合し、外扉３がこれ以上に変形することを阻止して、外扉３がこじ開けられることを防止することができる。しかもこのとき、外扉３の動きに伴って係合部２４が、外扉３の前側や左右方向に動いても、この頭部２３ｄが、外扉３の前面部３ｃ、側面部３ａ、係合部２４ａに当接することで、この頭部２３ｄが係合室２５から出てしまうことなく、安定した防盗機能を発揮することができる。
【００３６】
また、上記のように係合部２４ａをアーム部材２３の頭部２３ｄに係合させ、例えば図１２に示した場合のようなヒンジピン１３などの他の部品を用いない構成としたことで、ヒンジピン１３などを用いる防盗機構に比べて、部品点数を少なくして安価な自動販売機２０を提供することができる。
【００３７】
さらに、図１に示すように、係合部２４ａがアーム部材２３の頭部２３ｄに係合する位置が、外扉３の内側となる係合室２５内であり、図１３および図１４に示した防盗構造のように、自動販売機本体２の内側といった、自動販売機本体２の変形の影響を受け易い位置ではないので、治具６の操作により、たとえ自動販売機本体２の側面部２ｃが変形しても、係合部材２４の係合部２４ａとアーム部材２３の頭部２３ｄとの係合状態が解消されることを防止することができる。
【００３８】
なお、上記においては、アーム部材２３における頭部２３ｄを係合室２５内に入り込ませる際に、係合部材２４における第１の切欠部２４ｄに頭部２３ｄを通過させたが、これに限らず、例えば図８に示すように、第２の切欠部２４ｅだけを形成し、この第２の切欠部２４ｅに対して頭部２３ｄを仮想線にて示すように水平に寝かせた姿勢で通過させ、そして頭部２３ｄが第２の切欠部２４ｅを通過したら頭部２３ｄを係合部材２４と係合可能な姿勢に戻すようにして、アーム部材２３における頭部２３ｄを係合室２５内に入り込ませてもよい。
【図面の簡単な説明】
【００３９】
【図１】本発明の実施の形態における自動販売機の要部を示す図である。
【図２】（ａ）は、本発明の実施の形態における自動販売機の正面図、（ｂ）はこの自動販売機の側面図である。
【図３】図２に示す自動販売機におけるアーム部材の斜視図である。
【図４】図２に示す自動販売機における係合部材の斜視図である。
【図５】図４に示す係合部材に図３に示すアーム部材を組んだ状態を示す斜視図である。
【図６】図２に示す自動販売機において外扉が回動する状態を示す図である。
【図７】図１に示す自動販売機における外扉が前方側に向けて変形した状態を示す図である。
【図８】係合部材に第１の切欠部を設けない場合にアーム部材の頭部を係合部材に係合させる方法を示す図である。
【図９】（ａ）は、従来の自動販売機の正面図、（ｂ）はこの自動販売機の側面図である。
【図１０】自動販売機本体と外扉との間に治具が挿入された状態を示す図である。
【図１１】従来の自動販売機において外扉がこじ開けられないようにするための機構を示す図である。
【図１２】図１１に示す自動販売機の要部を示す図である。
【図１３】図１２に示した機構とは別の機構を示す図である。
【図１４】図１３に示した機構において外扉がこじ開けられることを防止できない場合を示す図である。
【図１５】図１２および図１３に示した機構とは別の機構を示す図である。
【図１６】図１５に示した機構において外扉がこじ開けられることを防止できない場合を示す図である。
【符号の説明】
【００４０】
２    自動販売機本体
３    外扉
２０    自動販売機
２３    アーム部材
２４    係合部材
【図１】
2006178693.tif 000003
【図２】
2006178693.tif 000004
【図３】
2006178693.tif 000005
【図４】
2006178693.tif 000006
【図５】
2006178693.tif 000007
【図６】
2006178693.tif 000008
【図７】
2006178693.tif 000009
【図８】
2006178693.tif 000010
【図９】
2006178693.tif 000011
【図１０】
2006178693.tif 000012
【図１１】
2006178693.tif 000013
【図１２】
2006178693.tif 000014
【図１３】
2006178693.tif 000015
【図１４】
2006178693.tif 000016
【図１５】
2006178693.tif 000017
【図１６】
2006178693.tif 000018